(57)【要約】      （修正有）【課題】より安全に取り扱うことのできる画鋲を提供する。【解決手段】針２と、針の出し入れを行なう針出入機構３と、針出し入れ機構を収容するつまみ部４と、を有する画鋲１とする。または、つまみ部には、貫通孔が開けられており、かつ、貫通孔の内壁には、長い溝及び短い溝が周方向に交互に形成されており、針出入機構は、針に接するよう配置され、つまみ部の前記長い溝及び短い溝に嵌合可能な歯部を周方向に備え、かつ、端部に凹凸が付された中軸と、中軸の凹凸に勘合する凹凸が形成され、かつ、つまみ部の貫通孔から突出し、押圧が可能な押圧部と、針とつまみ部との間に配置される弾性部とにより構成する。【選択図】図２
0003153348.tif 000002
【実用新案登録請求の範囲】
【請求項１】
針と、
前記針の出し入れを行なう針出入機構と、
前記針出し入れ機構を収容するつまみ部と、を有する画鋲。
【請求項２】
前記針出入機構を作動させて、
前記つまみ部から針を出し入れ可能な請求項１記載の画鋲。
【請求項３】
前記つまみ部には、貫通孔が開けられており、かつ、前記貫通孔の内壁には、長い溝及び短い溝が周方向に交互に形成されており、
前記針出入機構は、
前記針に接するよう配置され、前記つまみ部の前記長い溝及び前記短い溝に嵌合可能な歯部を周方向に備え、かつ、端部に凹凸が付された中軸と、
前記中軸の前記凹凸に勘合する凹凸が形成され、かつ、前記つまみ部の前記貫通孔から突出し、押圧が可能な押圧部と、
前記針と前記つまみ部との間に配置される弾性部と、を有する請求項１記載の画鋲。
【考案の詳細な説明】
【技術分野】
【０００１】
本考案は、画鋲に関し、より詳細には針の出し入れが可能な画鋲に関する。
【背景技術】
【０００２】
カレンダーや、必要な事項をメモした印刷物などを貼り付けるために、画鋲を用いてこれらを壁に貼り付けることは一般的に行なわれることである。
【０００３】
画鋲は一般的に、つまみ部と、このつまみ部に固定配置される針とを有して構成されている。
【考案の開示】
【考案が解決しようとする課題】
【０００４】
ところが、通常の画鋲は針がむき出しであるため、使用していない状態すなわち壁等に刺さっていない状態においても針がむき出しとなってしまっているため、針を取り扱う際、誤って指に針を刺してしまい、怪我をしてしまう虞がある。
【０００５】
そこで、本考案は、上記課題を鑑み、より安全に取り扱うことのできる画鋲を提供することを目的とする。
【課題を解決するための手段】
【０００６】
本考案者は、上記課題について鋭意検討を行なったところ、つまみ部に対し針が出し入れ自在となっていれば、使用しないない状態に怪我をしてしまう虞が少なくなる点に想到し、本考案を完成させるに至った。
【０００７】
すなわち、本考案の一観点に係る画鋲は、針と、この針の出し入れを行なう針出入機構と、この針出し入れ機構を収容するつまみ部と、を有することを特徴の一つとする。
【考案の効果】
【０００８】
以上、本考案により、より安全に取り扱うことのできる画鋲を提供することができる。
【図面の簡単な説明】
【０００９】
【図１】本画鋲の斜視概略図である。
【図２】本画鋲の断面概略図である。
【図３】つまみ部の一部分を内側から見た場合の概略図である。
【図４】中軸の概略図である。
【図５】押圧部の概略図である。
【考案を実施するための最良の形態】
【００１０】
以下、本考案の実施形態について図面を参照しつつ説明する。ただし、本考案は多くの異なる態様で実施することが可能であり、以下に示す実施形態の例示に狭く限定されるものではない。
【００１１】
図１は、本実施形態に係る画鋲（以下「本画鋲」という。）１の斜視概略図、図２は、本画鋲の断面概略図である。また図３は、つまみ部の一部分を内側から見た場合の概略図であり、
なお図１、２は、針を出した状態の図であり、これらの図で示すとおり、本画鋲１は、針２と、針２の出し入れを行なう針出入機構３と、針出入機構３を収容するつまみ部４と、を有することを特徴の一つとする。
【００１２】
また本画鋲１は、針出入機構を作動させてつまみ部から針を出し入れ可能とすることができれば十分であるが、例えば、本実施形態で示すように、針２に接するよう配置され、つまみ部４の長い溝４２及び短い溝４３に嵌合可能な歯部３２１を周方向に備え、かつ、端部の面に凹凸３２２１が付された接合部３２２を有する中軸３２と、中軸３２の凹凸３２２１に勘合する凹凸３３１が形成され、かつ、つまみ部４の貫通孔４１から突出し、使用者が押圧可能な押圧部３３と、針２とつまみ部４との間に配置される弾性部３１と、を有する。
【００１３】
これらの図で示すように、本画鋲１のつまみ部４は、画鋲を使用する者（以下「使用者」という。）が、画鋲を使用する際摘むために有用な部位であるとともに、針を出し入れする針出入機構３を収納することのできる重要な部位である。
【００１４】
本実施形態に係るつまみ部４は貫通孔４１が開けられた筒状となっており、かつ、この貫通孔４１の内壁には、図３で示されるように、長い溝４２及び短い溝４３が周方向に交互に形成されている。中軸３２の歯部３２１は、押圧部３３の凹凸３３１に押されることで、この長い溝４２と短い溝４３に交互に噛み合い、針２の出し入れを制御する。
【００１５】
また、本画鋲１の針２は、まさに壁に紙のメモ等を貼り付けるために用いるものである。なお、針２は針固定部２１に付され、一方、つまみ部４の一方の開口端近傍にも突起４４が形成され、この針固定部２１と突起４４との間に弾性体３１が配置されている。この結果、つまみ部４と針２との間に一定の力が加わるようになっている。
【００１６】
また、本画鋲１の針２は、針固定部２１を介して中軸３２と接している。なお、本実施形態に係る中軸３２は軸３２３と、この軸３２１に設けられた接合部３２２とを有しており、接合部３２２には、上述のつまみ部４の長い溝４２及び短い溝４３に嵌合可能な歯部３２１が周方向に形成されている。そして更に、接合部３２２の端部には、山型の凹凸３２２１が形成されている。この中軸の概略図を図４に示しておく。なお、上記の構成から明らかなように、中軸３２の歯部３２２１は、つまみ部４の貫通孔４１に形成された長い溝４２及び短い溝４３と組み合わされて配置される。
【００１７】
また、本画鋲１の押圧部３３は、上記の通り、使用者が押すためのものであり、この押圧部３３を押すことにより、針の出し入れを可能とすることができる。本押圧部３３の概略を図５に示しておく。
【００１８】
また、本実施形態に係る押圧部３３の端部は、つまみ部４の貫通孔４１から突出する程度の長さの軸を有しており、貫通孔４１から突出することで、使用者が容易に押圧することができるようになっている。また、押圧部３３の先端には、中軸３２の接合部３２２の凹凸３２２１に勘合する凹凸３３１が形成されている。なお押圧部３３の先端には、中軸３２の軸３２３を収納可能とする空洞３３２が空けられている。このようにすることで、押圧部を押すことで、凹凸同士が互いに噛み合い、中軸を回転させることができるようになる。なお、本実施形態では中軸を回転させることが好ましいため、相対的に押圧部は回転しないよう、押圧部の周囲、つまみ部４の内壁部分にも勘合する溝及び歯の組合せを設けておくことは好ましい。
【００１９】
ここで次に、本画鋲の動作について説明する。まず、つまみ部４と針２とは上記の通り、常に弾性部３１により針２の先端２２をつまみ部４に収納させる方向に働いている。この結果、針２に接している中軸３２も同様の方向に押されることとなる。すなわち、中軸３２の歯はつまみ部４の内壁に形成された長い溝４２又は短い溝４３に嵌め合わされており、長い溝４２に嵌めあわされている場合は、針２がつまみ部４に収納された状態、短い溝４２に嵌めあわされている場合は、針２がつまみ部４から出された状態となっている。
【００２０】
そして例えば歯３２２１が長い溝４２に嵌めあわされている場合において、使用者が押圧部３３を押すと、押圧部３３の先端に形成された凹凸３３１が中軸３２の接合部３２２における凹凸３２２１と合わさり、中軸３２の歯３２１を周方向に回転させる。この結果、長い溝４２に嵌め合わされた状態から次の状態すなわち短い溝４３に嵌め合わされた状態になる。この結果、針２はつまみ部４から突き出た状態となる。なお、短い溝に嵌め合わされた状態から長い溝に嵌め合わされた状態にするは、上記と同様押圧部を再び押して凹凸同士を噛み合わせることで実現できる。
【００２１】
以上、本実施形態に係る画鋲によると、使用しないときはつまみ部４に針を収納させ、使用するときには針を突出させることができ、非常に安全な画鋲となる。
【産業上の利用可能性】
【００２２】
本考案は、画鋲として産業上の利用可能性がある。
【符号の説明】
【００２３】
１…画鋲、２…針、３…針出入機構、４…つまみ部
【図１】
0003153348.tif 000003
【図２】
0003153348.tif 000004
【図３】
0003153348.tif 000005
【図４】
0003153348.tif 000006
【図５】
0003153348.tif 000007